(57)【特許請求の範囲】
【請求項１】
下面を開口して形成され、天井の開口部に取り付けられる器具本体内に、ケーシングにランプを設けて形成される灯具と、灯具を水平回動させる水平回転用モーターと、灯具を上下方向に首振り回動させる首振り回転用モーターとを取り付けて形成されるスポットライトにおいて、水平回転用モーターで首振り回転用モーターと灯具を共に水平回動させるようにし、灯具を器具本体内の下部の一方側寄り位置に、首振り回転用モーターを灯具の横方向において器具本体内の下部の他方側寄り位置に、水平回転用モーターを器具本体内の上部にそれぞれ配置して取り付け、ランプをケーシング内にケーシングの中心より首振り回転用モーターと反対の片側に寄った位置において設け、ケーシングにランプと反対側に延出するように枢支部を設けると共に灯具の中心からランプと反対側の側方にずらして枢支部に首振り回転軸を設け、灯具が鉛直下方への照射の向きで器具本体内に収まる水平状態と器具本体から下方へ突出される状態の間で首振り回転軸を回転中心にして灯具を上下方向に首振り回動自在にして成ることを特徴とするスポットライト。
【請求項２】
下部の灯具及び首振り回転用モーターと上部の水平回転用モーターとの間において、器具本体内に制御ブロックを配置して取り付けて成ることを特徴とする請求項１に記載のスポットライト。
【請求項３】
器具本体を天井の開口部に係止させる支持金具を器具本体に側面から外方へ突出自在に設け、灯具と首振り回転用モーターとを横方向に並べることによって灯具と首振り回転用モーターの両側と器具本体の内側との間に形成される空間を支持金具操作空間として成ることを特徴とする請求項１又は２に記載のスポットライト。
【発明の詳細な説明】
【０００１】
【産業上の利用分野】
本発明は、リモートコントロール可動方式のスポットライトに関するものである。
【０００２】
【従来の技術】
投光方向をリモートコントロールできるようにしたスポットライトとして、灯具の向きをモーターで調整するようにしたものが提供されている。
図９及び図１０はこのようなリモートコントロール可動方式のスポットライトの従来の一例を示すものであり、器具本体１内に内本体１５と受光ブロック１６が収容してある。内本体１５内には、ランプ２を内蔵する灯具３がその下端部に、水平回転用モーター４がその上端部に、首振り回転用モーター５がその上下間にそれぞれ設けてある。水平回転用モーター４は器具本体１に固定して取り付けてあり、水平回転用モーター４の出力軸１７に固定した支持アングル１８に首振り回転用モーター５と灯具３が取り付けてある。また首振り回転用モーター５の出力軸１９と、灯具３を支持アングル１８に上下回転自在に枢支する首振り回転軸７との間にリンク２０が設けてある。受光ブロック１６はリモコン受光部２１を設けて形成されるものであり、受光窓２２から赤外線等の光をリモコン受光部２１で受光できるように内本体１５の側方において器具本体１の下部内に取り付けてある。図９において６はプリント配線板等を基板として形成される制御ブロック（リモコンブロック）、２３は制御ブロック６に設けた端子台、２４及び２５はモーター制御用ブロック、２６はランプソケット、２７は器具本体１の下端の開口縁に設けたフランジである。
【０００３】
そしてこのように形成されるスポットライトは、天井８の開口部９に下端部を露出させて天井裏に取り付けられるものであり、リモートコントローラーから発信した赤外線等をリモコン受光部２１で受光して、制御ブロック６からの指定で水平回転用モーター４と首振り回転用モーター５を作動させることによって、投光方向を調整することができるようにしてある。すなわち、水平回転用モーター４で支持アングル１８を水平回動させることによって灯具３を所定角度で水平回動させると共に、首振り回転用モーター５でリンク２０を介して灯具３を首振り回転軸７を中心に上下方向に所定角度で回動させることによって、灯具３を任意の向きに向けて、ランプ２による投光方向をリモートコントロールすることができるものである。
【０００４】
図１１及び図１２は灯具３を首振り回動させる機構を詳細に示すものであり、ランプ２は灯具３に鉛直中心軸が一致するように設けてあると共にランプ２と器具本体１の鉛直中心軸が一致するように灯具３を器具本体１内に配設してある。そして灯具３の中心に首振り回転軸７が設けてあり、灯具３の上方に配設した首振り回転用モーター５の出力軸１９とこの首振り回転軸７にそれぞれレバー２８，２９の中央を固定し、両レバー２８，２９の両端間にリンク２０が枢着してある。このものでは、首振り回転用モーター５を作動させてレバー２８を所定角度で回動させるとレバー２９も同角度で回動し、首振り回転軸７を回動させて灯具３を所定角度で上下方向に首振り回動させることができるようになっている。
【０００５】
図１３及び図１４は器具本体１に支持金具１０を設けた一例を示すものであり、器具本体１の下部に上下に長いスリット状の取付孔３０が穿設してある。支持金具１０は上端部を器具本体１内に上下回動自在に枢着してあり、支持金具１０を外方へ回動させることによって取付孔３０から斜め下方に突出させることができるようにしてある。図１３，図１４において３１は板ばねである。そしてこのものにあって、器具本体１の内面と内本体１５の外面との間の隙間空間が支持金具操作空間１１としてあり（図１４にクロス斜線で示す）、この支持金具操作空間１１に下方から手を差し入れて支持金具１０を外方へ回動させるように操作することによって、支持金具１０を取付孔３０から外方へ突出させ、この突出した支持金具１０を天井８の開口部９の周縁の上面に係止させることによってスポットライトの取り付けをおこなうことができるようにしてある。
【０００６】
【発明が解決しようとする課題】
図９及び図１０の従来例のように、灯具３の上に首振り回転用モーター５を配置すると共にさらにその上に水平回転用モーター４を配置すると、灯具３と首振り回転用モーター５と水平回転用モーター４が縦に並んで器具本体１の高さ寸法が大きくなり、天井裏でのスポットライトの取付施工性が悪くなるという問題があった。
【０００７】
また器具本体１の高さ寸法がさらに大きくなることを回避するために、図９や図１３に示すように制御ブロック６は器具本体１から側方に突出するように取り付ける必要があり、この結果、スポットライトの重量バランスが悪くなって、スポットライトの取付施工性が悪くなると共に、取り付け後にずれや傾きが生じ易いという問題があった。
【０００８】
灯具３による投光を全方向で実施できるようにするには、灯具３を１８０°の角度範囲で水平回動させると共に灯具３を±α°の角度範囲で首振り回動させるか、あるいは灯具３を３６０°の角度範囲で水平回動させると共に灯具３をα°の角度範囲で首振り回動させる必要がある。そしてαの首振り角度は通常は３０°に設定されているが、３０°の首振り角度では照射範囲が狭い。しかし図１１及び図１２の従来例のものにあって、首振り角度αを大きくすると、灯具３の下面の一部が器具本体１内に入ってランプ２の一部が器具本体１内に隠れてしまうおそれがあるという問題があった。灯具３の下面の一部が器具本体１内に入るのを防止するためには灯具３の下端部が器具本体１の下面開口から突出するように灯具３を器具本体１内に取り付けるようにすればよいが、このようにするとフランジ２７の厚みを厚くする必要があって外観が悪くなり、実用的ではない。
【０００９】
また、図１３及び図１４の従来例のように、支持金具１０を支持金具操作空間１１に手を差し入れて操作するにあたって、この器具本体１の内面と内本体１５の外面との間の隙間空間として形成される支持金具操作空間１１は狭く、支持金具１０の操作性が悪いという問題があった。
本発明は上記の点に鑑みてなされたものであり、器具本体の高さ寸法を小さくすることができ、また器具本体の高さが高くなることなく制御ブロックを器具本体内に組み込むことができ、さらに灯具の首振り角度を大きくすることができ、加えて支持金具の操作性が良好なスポットライトを提供することを目的とするものである。
【００１０】
【課題を解決するための手段】
本発明に係るスポットライトは、下面を開口して形成され、天井８の開口部９に取り付けられる器具本体１内に、ケーシング３２にランプ２を設けて形成される灯具３と、灯具３を水平回動させる水平回転用モーター４と、灯具３を上下方向に首振り回動させる首振り回転用モーター５とを取り付けて形成されるスポットライトにおいて、水平回転用モーター４で首振り回転用モーター５と灯具３を共に水平回動させるようにし、灯具３を器具本体１内の下部の一方側寄り位置に、首振り回転用モーター５を灯具３の横方向において器具本体１内の下部の他方側寄り位置に、水平回転用モーター４を器具本体１内の上部にそれぞれ配置して取り付け、ランプ２をケーシング３２内にケーシング３２の中心より首振り回転用モーター５と反対の片側に寄った位置において設け、ケーシング３２のランプ２と反対側に延出するように枢支部３６を設けると共に灯具３の中心からランプ２と反対側の側方にずらして枢支部３６に首振り回転軸７を設け、灯具３が鉛直下方への照射の向きで器具本体１内に収まる水平状態と器具本体１から下方へ突出される状態の間で首振り回転軸７を回転中心にして灯具３を上下方向に首振り回動自在にして成ることを特徴とするものである。
【００１１】
本発明にあって、下部の灯具３及び首振り回転用モーター５と上部の水平回転用モーター４との間において、器具本体１内に制御ブロック６を配置して取り付けることができる。
【００１２】
さらに本発明では、器具本体１を天井８の開口部９に係止させる支持金具１０を器具本体１に側面から外方へ突出自在に設け、灯具３と首振り回転用モーター５とを横方向に並べることによって灯具３と首振り回転用モーター５の両側と器具本体１の内側との間に形成される空間を支持金具操作空間１１として形成することができる。
【００１３】
【作用】
灯具３を器具本体１内の下部の一方側寄り位置に、首振り回転用モーター５を灯具３の横方向において器具本体１内の下部の他方側寄り位置に、水平回転用モーター４を器具本体１内の上部にそれぞれ配置して取り付けることによって、灯具３と首振り回転用モーター５とは上下に重なることがなくなり、器具本体１の上下の高さが首振り回転用モーター５の寸法分低くなる。
【００１４】
そして下部の灯具３及び首振り回転用モーター５と上部の水平回転用モーター４との間において、器具本体１内に制御ブロック６を配置して取り付けても、首振り回転用モーター５を配置する箇所に制御ブロック６を配置することができ、器具本体１の高さが高くならないようにすることができる。
また、灯具３の中心から側方に首振り回転軸７をずらして設け、この首振り回転軸７を回転中心にして灯具３を器具本体１から下方へ突出するように上下方向に首振り回動自在にすることによって、灯具３を器具本体１から下方へ突出して首振り回動させることができ、灯具３の下面の一部が器具本体１に隠れるようなことなく大きな角度で首振り回動させることができる。
【００１５】
さらに、器具本体１を天井８等の開口部９に係止させる支持金具１０を器具本体１に側面から外方へ突出自在に設け、灯具３と首振り回転用モーター５とを横方向に並べることによって灯具３と首振り回転用モーター５の両側と器具本体１の内側との間に形成される空間を支持金具操作空間１１として形成することによって、灯具３と首振り回転用モーター５の並び方向が長くなる分、器具本体１の径を大きくする必要なく灯具３と首振り回転用モーター５の両側と器具本体１の内側との間の空間が大きくなって、支持金具操作空間１１を大きな空間として形成することができる。
【００１６】
【実施例】
以下本発明を実施例によって詳述する。
図１及び図２は本発明の一実施例を示すものであり、下面が開口する円筒形状に形成される器具本体１の上部内に水平回転用モーター４が配設してあり、この水平回転用モーター４の下側において器具本体１の中段部内には制御ブロック６が配設してある。制御ブロック６はプリント配線板を基板として形成されるものであって、プリント配線板に取り付ける部品レイアウトを、背の高い部品を外側に配置すると共に背の低い部品を内側に配置しておこなうようにしてあり、水平回転用モーター４を制御ブロック６の中央部に取り付けてある。そして水平回転用モーター４はその出力軸１７を器具本体１の天井面に固着することによって器具本体１に取り付けてあり、制御ブロック６は水平回転用モーター４に支持された状態で器具本体１内に取り付けるようにしてある。
【００１７】
また首振り回転用モーター５は制御ブロック６の下面に垂下して設けた支持板３３に固定してあり、さらにケーシング３２の内部にランプ２を設けて形成される灯具３は首振り回転軸７を制御ブロック６の下面から垂下した支持板３３の下端部に枢支して取り付けてある。従って灯具３と首振り回転用モーター５は制御ブロック６に一体化されているものであり、それぞれ器具本体１の下部内に配設するようにしてある。ここで、灯具３と首振り回転用モーター５とは横に並ぶようにしてあり、灯具３を器具本体１内の下部の一方側寄り位置に、首振り回転用モーター５を器具本体１内の下部の他方側寄り位置にそれぞれ配置するようにしてある。首振り回転用モーター５の出力軸１９と首振り回転軸７にそれぞれレバー２８，２９の中央を固定し、両レバー２８，２９の両端間に一対のリンク２０が枢支連結してある（図１では一方のリンク２０の図示を省略している）。また器具本体１の下端の開口縁にはフランジ２７が取り付けてある。
【００１８】
受光ブロック１６は灯具３の側方において首振り回転用モーター５の直下に配置して支持板３３に取り付けてある。受光ブロック１６の下方は灯具３のケーシング３２で覆って露出しないようにしてあるが、受光ブロック１６の直下位置においてケーシング３２に受光窓３４を設けることによって、リモートコントローラーからの赤外線等の信号を受光窓３４を通して受光ブロック１６が受光できるようにしてある。受光窓３４は図３（ａ）のようにスリット３４ａを設けて形成したり、図３（ｂ）のようにパンチング孔３４ｂを設けて形成したりすることができる。
【００１９】
上記のように形成されるスポットライトは下端部を室内に露出させて天井に取り付けられるものであり、リモートコントローラーから発信した赤外線等を受光窓３４を通してリモコン受光部２１で受光すると、制御ブロック６からの指定で水平回転用モーター４や首振り回転用モーター５を作動させて投光方向を調整することができる。すなわち、水平回転用モーター４を作動させて水平回転させると、制御ブロック１６と首振り回転用モーター５と共に灯具３を所定角度で水平回動させることができ、また首振り回転用モーター５を作動させてリンク２０を介して灯具３を首振り回転軸７を中心に上下方向に所定角度で首振り回動させることによって、灯具３の水平方向と上下方向の向きを変えて灯具３を任意の方向に向けることができ、ランプ２による投光方向をリモートコントロールすることができるものである。
【００２０】
そしてこのスポットライトにあっては、灯具３と首振り回転用モーター５とは横に並んでいるために、これらを上下に重ねる場合よりも器具本体１の上下の高さを首振り回転用モーター５の寸法分低くすることが可能になるものであり、またこのように灯具３と首振り回転用モーター５を横に並べることによって、首振り回転用モーター５を灯具３の上に配置するスペースが空くことになり、この空きスペースを利用して器具本体１内に制御ブロック６を配置して取り付けることができ、器具本体１内に制御ブロック６を配置しても器具本体１の高さが高くならないようにすることができる。従って、器具本体１の高さを低く形成して狭い天井裏へのスポットライトの取付作業を容易にすることができるものであり、また制御ブロック６は器具本体１内に収容されていて図９や図１３の従来例のように器具本体１の側方に突出しないために、スポットライトの重量バランスが良くなって、スポットライトの取付施工性を良好にすることができると共に、取り付け後にずれや傾きが生じることもなくなるものである。また、図１の実施例では、図９等の従来例のように内本体１５等の部品が不要になって部品点数が減少し、コストダウンを実現することができると共に器具本体１の径を小さくすることができるものである。ちなみに、図９の従来例のものでは器具本体１は直径１９５ｍｍ、高さ１９８ｍｍ、フランジ２７の直径２１５ｍｍ、天井８からの出代２２ｍｍであるが、図１の実施例では器具本体１の直径１４５ｍｍ、高さ１８０ｍｍ、フランジ２７の直径１７０ｍｍ、フンランジ２７の高さ３０ｍｍになる。そしてこのように器具本体１の径を小さくすることができる結果、スポットライトの埋め込み穴径が小さくなり、外観を高めることができるものである。さらに図１の実施例では、灯具３、水平回転用モーター４、首振り回転用モーター５、制御ブロック６及び受光ブロック１６の総てが一体化されているために、器具本体１内へのこれらの部品の組み込みが容易になるものである。
【００２１】
次に、図１の実施例における灯具３の首振り動作を図４〜図６に基づいて説明する。灯具３はケーシング３２の鉛直中心軸より片側に寄った位置にランプ２を設けて形成するようにしてあり、ランプ２と反対側に延出するようにケーシング３２に枢支部３６が設けてある。そしてこの灯具３はランプ２が器具本体１の鉛直中心軸よりも一方の片側に寄るように器具本体１の下部内に取り付けるようにしてあり、また首振り回転軸７は器具本体１の鉛直中心軸よりも他方の片側に寄る位置において首振り回転用モーター５の出力軸１９の鉛直下方に配置されるようにしてある。この首振り回転用モーター５の出力軸１９と首振り回転軸７には既述のようにそれぞれレバー２８，２９の中央を固定し、両レバー２８，２９の両端間に一対のリンク２０が枢支連結してある。
【００２２】
このものでは、灯具３が水平状態にあるときには灯具３は器具本体１内に収まっており、このときの灯具３の照射の向きは鉛直下方になっている。そして首振り回転用モーター５を作動させると、図６のように灯具３は水平状態から下側で回動するようにのみ上下に首振り回動されるものであり、灯具３は器具本体１の下方へ突出するように回動されることになる。従って、灯具３の回動角度αを４５°と大きくしても、灯具３は器具本体１の下方へ突出するために灯具３の下面の一部が器具本体１に隠れるようなことがなくなり、灯具３を大きな角度で上下に首振り回動させることができるものである。このように灯具３を大きな角度で上下に首振り回動させるようにすると、照射範囲を広くすることができるものであり、例えば灯具３の回動角度αを４５°にすると、３０°の場合に比べて照射範囲を３倍にすることができるものである。またこのように灯具３を器具本体１に隠れるようなことなく首振り回動させることができるために、灯具３を器具本体１から下方に突出させて取り付ける必要がなく、フランジ２７の厚みを薄く形成することができるものであり、さらに灯具３を首振り回動させると器具本体１から下方へ大きく突出するために、ランプ２の発熱が首振り回転用モーター５に作用することを低減することができ、首振り回転用モーター５の温度条件が良くなるものである。尚、上記実施例では、ランプ２は首振り回転用モーター５の直下に設けた受光ブロック１６から離れているために、ランプ２の光による受光ブロック１６への影響を小さくしてリモコン動作に与える影響を小さくすることができるものである。
【００２３】
図７及び図８は器具本体１に支持金具１０を設けた実施例を示すものであり、ケーシング３２の幅ｂをランプ２の径よりわずかに大きくなる程度にして灯具３の平面形状を長細く形成すると共に、灯具３と首振り回転用モーター５を横に並べた状態で器具本体１の下部内に取り付けるようにしてある。このように灯具３と首振り回転用モーター５を取り付けることによって、器具本体１の径を小さくコンパクトに形成しても、図７及び図８にクロス斜線で示すように器具本体１の内周と灯具３と首振り回転用モーター５の側部との間の隙間が大きな空間として形成されるようにしてあり、そしてこの空間が手を器具本体１の下方から差し入れることができる支持金具操作空間１１となるものである。この支持金具操作空間１１の箇所において器具本体１に図７（ｂ）のような縦に長いスリット状の取付孔３０が穿設してある。また支持金具１０は上端部を器具本体１内に上下回動自在に枢着してあり、支持金具１０を外方へ回動させることによって取付孔３０から斜め下方傾斜させた状態で突出させるようにしてある。図７において３７はフランジ２７に取着したマグネットであり、スポットライトを天井８に取り付けた後に、マグネット３７を支持板３３等に吸着させることによって、フランジ２７を器具本体１に取り付けることができるようにしてある。
【００２４】
そしてこのものにあって、支持金具操作空間１１に下方から手を差し入れて支持金具１０を外方へ回動させるように操作することによって、支持金具１０を取付孔３０から外方へ突出させ、この突出した支持金具１０を天井８の開口部９の周縁の上面に係止させることによってスポットライトの取り付けをおこなうことができるものであり、支持金具操作空間１１は大きく形成できるようにしてあるために、この操作を容易におこなうことができるものである。またこの支持金具操作空間１１が断熱作用をして、ランプ２の熱が天井等の造営材に高い温度で伝わることを防ぐことができるものである。図７の実施例では、制御ブロック６をその直径ｃが器具本体１の内径Ｃよりもわずかに小さい程度の平面円形に形成してあって、支持金具操作空間１１の上を制御ブロック６で覆うようにしてあり、支持金具操作空間１１に差し入れた手が制御ブロック６の上面側の充電部に接触しないようにしてある。
【００２５】
【発明の効果】
上記のように本発明は、下面を開口して形成され、天井の開口部に取り付けられる器具本体内に、ケーシングにランプを設けて形成される灯具と、灯具を水平回転させる水平回転用モーターと、灯具を上下方向に首振り回動させる首振り回転用モーターとを取り付けて形成されるスポットライトにおいて、灯具を器具本体内の下部の一方側寄り位置に、首振り回転用モーターを灯具の横方向において器具本体内の下部の他方側寄り位置に、水平回転用モーターを器具本体の上部にそれぞれ配置して取り付けるようにしたので、灯具と首振り回転用モーターとは上下に重なることがなくなって、器具本体の上下の高さが首振り回転用モーターの寸法分低くなり、器具本体の高さ寸法を小さくすることができるものである。また、ランプをケーシング内にケーシングの中心より首振り回転用モーターと反対の片側に寄った位置において設け、ケーシングにランプと反対側に延出するように枢支部を設けると共に灯具の中心からランプと反対側の側方にずらして枢支部に首振り回転軸を設け、灯具が鉛直下方への照射の向きで器具本体内に収まる水平状態と器具本体から下方へ突出される状態の間で首振り回転軸を回転中心にして灯具を上下方向に首振り回動自在にしたので、灯具を器具本体から下方へ突出して首振り回動させることができ、灯具の下面の一部が器具本体に隠れるようなことなく大きな角度で首振り回動させることができるものである。
【００２６】
また、下部の灯具及び首振り回転用モーターと上部の水平回転用モーターとの間において、器具本体内に制御ブロックを配置して取り付けるようにしたので、従来首振り回転用モーターを配置する箇所に制御ブロックを配置することができ、器具本体の高さが高くなることなく制御ブロックを器具本体内に組み込むことができるものである。
【００２８】
加えて、器具本体を天井の開口部に係止させる支持金具を器具本体に側面から外方へ突出自在に設け、灯具と首振り回転用モーターとを横方向に並べることによって灯具と首振り回転用モーターの両側と器具本体の内側との間に形成される空間を支持金具操作空間としたので、灯具と首振り回転用モーターの並び方向が長くなる分、灯具と首振り回転用モーターの両側と器具本体の内側との間の空間が大きくなって、器具本体の径を大きく形成する必要なく支持金具操作空間を大きな空間として形成することができ、支持金具の操作性が良好になるものである。
【図面の簡単な説明】
【図１】本発明の第１の実施例の断面図である。
【図２】同上の底面図である。
【図３】同上の受光窓を示すものであり、（ａ），（ｂ）はぞれぞれ底面図である。
【図４】本発明の第１の実施例の断面図である。
【図５】同上の底面図である。
【図６】同上の灯具の首振り回動状態を示す断面図である。
【図７】本発明の第２の実施例を示すものであり、（ａ）は断面図、（ｂ）は一部の正面図である。
【図８】同上の底面図である。
【図９】第１の従来例の断面図である。
【図１０】同上の底面図である。
【図１１】第２の従来例の断面図である。
【図１２】同上の灯具の首振り回動状態を示す断面図である。
【図１３】第３の従来例の断面図である。
【図１４】同上の底面図である。
【符号の説明】
１  器具本体
２  ランプ
３  灯具
４  水平回転用モーター
５  首振り回転用モーター
６  制御ブロック
７  首振り回転軸
８  天井
９  開口部
１０  支持金具
１１  支持金具操作空間
３２  ケーシング
３６  枢支部
【図１】
0003967777.tif 000002
【図２】
0003967777.tif 000003
【図３】
0003967777.tif 000004
【図４】
0003967777.tif 000005
【図５】
0003967777.tif 000006
【図６】
0003967777.tif 000007
【図７】
0003967777.tif 000008
【図８】
0003967777.tif 000009
【図９】
0003967777.tif 000010
【図１０】
0003967777.tif 000011
【図１１】
0003967777.tif 000012
【図１２】
0003967777.tif 000013
【図１３】
0003967777.tif 000014
【図１４】
0003967777.tif 000015